(57)【特許請求の範囲】
【請求項１】
ボウル部の側方または後方の上部に貫通させて設けたノズル挿入用孔に、前記ボウル部内に洗浄用水を吐出する吐出ノズルを挿通してなる水洗便器であって、
前記吐出ノズルから吐出された前記洗浄用水を誘導して前記ボウル部内に周方向に流れる旋回流を発生させるための誘導部を前記ノズル挿入用孔の前方に連通させて設け、
前記誘導部を、前記ボウル部の内面の上端部と、この内面の上端部に沿わせると共に前記吐出ノズルを前記内面の上端部とで挟むように設けた補助誘導壁とで囲んで形成し、
前記誘導部内のうちその前端よりも後方にずれた位置に、前記吐出ノズルの前端部を保持するための保持部を設け、
前記吐出ノズルは、前端側が下方に傾いた状態で前記保持部により保持されることを特徴とする水洗便器。
【発明の詳細な説明】
【技術分野】
【０００１】
本発明は、ボウル部内に周方向に流れる旋回流を発生させてボウル部内面の洗浄を行う水洗便器に関するものである。
【背景技術】
【０００２】
従来から、特許文献１等によって、ボウル部内に周方向に流れる旋回流を発生させて、ボウル部内面の洗浄を行う水洗便器が提案されている。
【０００３】
この水洗便器は、ボウル部の側方の後部に貫通させて設けたノズル挿入用孔に、給水源に接続された吐出ノズルを挿通し、この吐出ノズルから洗浄用水を吐出することで、ボウル部内に周方向に流れる旋回流を発生させる。
【先行技術文献】
【特許文献】
【０００４】
【特許文献１】特開２００８−９５４４９号公報
【発明の概要】
【発明が解決しようとする課題】
【０００５】
しかし、上述した水洗便器では、吐出ノズルは後端側がノズル挿入用孔に支持されており、先端側が自由端となっている。そのため、吐出ノズルから吐出される洗浄用水の吐出方向が安定せず、ボウル部内に広く旋回流を行き渡らせることが困難である場合があった。
【０００６】
そこで、上記事情を鑑みて、本発明では、吐出ノズルから吐出される洗浄用水の吐出方向を安定させて、ボウル部内に洗浄用水を広く行き渡らせることができる水洗便器を提案することを課題とする。
【課題を解決するための手段】
【０００８】
上記課題を解決するために本発明の水洗便器は、ボウル部の側方または後方の上部に貫通させて設けたノズル挿入用孔に、前記ボウル部内に洗浄用水を吐出する吐出ノズルを挿通してなる水洗便器であって、前記吐出ノズルから吐出された前記洗浄用水を誘導して前記ボウル部内に周方向に流れる旋回流を発生させるための誘導部を前記ノズル挿入用孔の前方に連通させて設け、前記誘導部を、前記ボウル部の内面の上端部と、この内面の上端部に沿わせると共に前記吐出ノズルを前記内面の上端部で挟むように設けた補助誘導壁とで囲んで形成し、前記誘導部内のうちその前端よりも後方にずれた位置に、前記吐出ノズルの前端部を保持するための保持部を設け、前記吐出ノズルは、前端側が下方に傾いた状態で前記保持部により保持されることを特徴とする。
【発明の効果】
【０００９】
本発明の水洗便器は、吐出ノズルから吐出される洗浄用水の吐出方向を安定させて、ボウル部内に洗浄用水を広く行き渡らせることができる。
【図面の簡単な説明】
【００１０】
【図１】本発明の実施形態の水洗便器の要部を示し、（ａ）は誘導部の前端を含む面で切断した正断面図であり、（ｂ）は（ａ）のＡ−Ａ線を含む面で切断した平断面図である。
【図２】同上の水洗便器を示す分解斜視図である。
【発明を実施するための形態】
【００１１】
本発明を添付図面に示す実施形態に基づいて説明する。本実施形態の水洗便器１は、例えば図２に示すような構造となっている。
【００１２】
水洗便器１は、便器本体１０、支持フレーム１１、便器付設装置１２、トラップ部１３、後部カバー１４、側部カバー１５、及び便座１６と便蓋１７とを備えた上部カバー１８から主体が構成される。便器本体１０は、支持フレーム１１の前部に螺子等により固定されて、支持フレーム１１に支持される。また、便器付設装置１２は、支持フレーム１１の後部に螺子等により固定されて、支持フレーム１１に支持される。トラップ部１３は、便器付設装置１２の下方に配置される。便器付設装置１２と支持フレーム１１とトラップ部１３とは、後部カバー１４と側部カバー１５と上部カバー１８と便器本体１０とによって隠蔽される。
【００１３】
便器本体１０は、外郭となる平断面略Ｃ字状のスカート部８と、この内側の上部に配置されるボウル部２と、スカート部８の内側のボウル部２上に配置されるリム部９とが溶着一体化されて構成される。便器本体１０は合成樹脂製となっている。ボウル部２の底部には、水溜め部２０と、後方のトラップ部１３に連通接続される排出用筒部（図示せず）とを備える。トラップ部１３は、トラップケースと、この内側でモータにより後端が上下回動するトラップ（図示せず）とを備える。このトラップの前端に、ボウル部２の排出用筒部が連通接続される。
【００１４】
便器付設装置１２は、ボウル部２内に洗浄水を吐出するための吐出ノズル４と、上水道（図示せず）に接続されて吐出ノズル４に給水を行う給水管４０と、吐出ノズル４の吐水の制御を行う制御部（図示せず）とを備える。吐出ノズル４は、非変形性の一直線状の円筒体で形成されている。便器付設装置１２は、さらに局部洗浄用の温水洗浄装置、乾燥装置、及び脱臭装置等を備える。これらの温水洗浄装置、乾燥装置及び脱臭装置は、リム部９の後部に設けた開口部９０を通して、それぞれ局部洗浄、局部乾燥、脱臭を行う。
【００１５】
続いて、図１（ａ）及び図１（ｂ）を参照して、ボウル部２とリム部９と吐出ノズル４についてさらに詳しく説明する。
【００１６】
リム部９は、図１（ａ）に示すように、ボウル部２の上端開口縁部全周にわたって内側に向かって延びた上板部９１と、この先端（内端）から下方に向かって延びた側板部９２と、その先端（下端）から外側に向かって延びた下板部９３とから構成される。
【００１７】
ボウル部２の上端部には、上下に延びた外周壁部２１と、この下端から内側に向かって延びた底壁部２２とを備える。底壁部２２の上面２３は、ボウル部２の内側に向けてわずかに下り勾配がついた構造となっている。この外周壁部２１と底壁部２２とリム部９の下板部９３とで囲まれて内方に開口した開口溝部２４が、ボウル部２の上端部に略全周に亘って形成されている。本実施形態においては、ボウル部２の側方の後ろ側の上部において、開口溝部２４の始端部２５の内側に開口溝部２４の終端部２６が重なったような構造となっている。
【００１８】
詳しくは、外周壁部２１は、平面視で円環状をなしているが、ボウル部２の側方の後部においては、図１（ｂ）に示すように、外側に一旦折れ曲がった後、前方に折れ曲がった平面視略Ｌ字状をなしている。
【００１９】
この外側に折れ曲がった変曲箇所から平断面円弧状に補助誘導壁６が形成されており、この補助誘導壁６は、変曲箇所の手前（後側）の外周壁部２１に連続している。この補助誘導壁６は、ボウル部２の側方の後側の上部において、ボウル部２の内面から上方に突出させて設けている。
【００２０】
ボウル部２の側方の後側の内面の上端部（つまり平面視略Ｌ字状の外周壁部２１の内側面とこれに連続する底壁部２２の上面２３）と、この平面視略Ｌ字状の外周壁部２１の内側に沿うように位置する補助誘導壁６の外側面とで囲んで、誘導部５が形成されている。誘導部５は、吐出ノズル４から吐出された洗浄用水を誘導してボウル部２内に周方向に流れる旋回流を発生させるためのものである。
【００２１】
この平面視略Ｌ字状の外周壁部２１のうち、外側に延びた後部壁２１０に、ノズル挿入用孔３を前後方向に貫通させて設けている。ノズル挿入用孔３には、吐出ノズル４が後方から挿通され、誘導部５内に吐出ノズル４が収められる。つまり、吐出ノズル４は、ボウル部２の側方の後側の内面の上端部（平面視略Ｌ字状の外周壁部２１の内側面とこれに連続する底壁部２２の上面２３）と補助誘導壁６とで挟まれて、誘導部５内に収められる。
【００２２】
誘導部５内には、この吐出ノズル４の前端部を保持するための保持部７が、誘導部５の前端よりも後方にずれた位置に設けられている。これにより、吐出ノズル４から吐出された洗浄用水は、その流れの方向が誘導部５によって誘導可能となっている。
【００２３】
保持部７は、吐出ノズル４の前端部を上方から保持する上保持部７０と、吐出ノズル４の前端部を外側方から保持する側保持部７１とから構成される。本実施形態では、吐出ノズル４の前端部は、上保持部７０と底壁部２２の上面２３とで挟まれることで、上下移動不可の状態で保持される。そして、吐出ノズル４の前端部は、側保持部７１と補助誘導壁６の外側面６０とで挟まれることで、左右移動不可の状態で保持される。このように上保持部７０と底壁部２２の上面２３、及び側保持部７１と補助誘導壁６の外側面６０によって、吐出ノズル４の前端部は保持され、上下左右への位置ずれや振動が防止される。つまり、本実施形態では、底壁部２２の上面２３と補助誘導壁６の外側面６０も、保持部７を構成している。
【００２４】
また、本実施形態では、上保持部７０は、リム部９の下板部９３の下面から下方に突出させて形成されている。上保持部７０の基端部（上端部）には強度向上のためのリブ９４が複数（図では２つ）形成されている。このリブ９４は、上保持部７０の前側だけでなく、後側にも形成されてもよい。そして、上保持部７０の突出先端面７２（下端面）のうち吐出ノズル４に接触する箇所は、吐出ノズル４の外周面と同じ曲率の円弧状となっている。これにより、上保持部７０は、密着性が高い状態で吐出ノズル４を保持できる。なお、本実施形態では、上保持部７０は、吐出ノズル４の上端から外側端に亘って保持しており、吐出ノズル４の上側へのずれだけでなく外側へのずれも抑制できるものとなっている。
【００２５】
また、側保持部７１は、平面視略Ｌ字状の外周壁部２１のうち、前方に延びた側部壁２１１の内側面から内側に突出させて形成されている。そして、側保持部７１の突出先端面７３（内側面）のうち吐出ノズル４に接触する箇所は、吐出ノズル４の外周面と同じ曲率の円弧状となっている。これにより、側保持部７１は、密着性が高い状態で吐出ノズル４を保持できる。
【００２６】
また、本実施形態では、上保持部７０と、側保持部７１とを前後方向にずらして設けている。これにより吐出ノズル４を後方から差し込む際に、上保持部７０による上下移動の規制と側保持部７１による左右移動の規制のタイミングをずらすことができ、差し込みやすくなっている。
【００２７】
また、本実施形態では、保持部７によって保持される吐出ノズル４の径方向の中心部が、ノズル挿入用孔３の径方向の中心部よりも低い位置となるように保持部７を形成している。つまり、吐出ノズル４は、保持部７により前端側が下方に傾いた状態で保持されている。これにより、吐出ノズル４内には、洗浄用水が残りにくく、吐出ノズル４より新たに洗浄用水を吐出させる際に、残水による異音の発生や、残水の跳ね飛び等の発生を抑制することができる。
【００２８】
なお、上述した実施形態では、吐出ノズル４を底壁部２２の上面２３や補助誘導壁６の外側面６０に接触させて保持したが、この上面２３や外側面６０に突起を設けて、この突起に接触させて吐出ノズル４を保持するようにしてもかまわない。
【００２９】
以上述べた水洗便器１では、吐出ノズル４をノズル挿入用孔３に挿通して、吐出ノズル４の前端部を保持部７によって保持させると、吐出ノズル４の前端部が、誘導部５内でその前端よりも後方にずれた位置で固定される。そのため、吐出ノズル４から吐出される洗浄用水の吐出方向を一定方向に安定させることができ、この流れの方向が安定した洗浄用水を誘導部５によって誘導することができる。これにより、洗浄用水をボウル部２の略全周に亘って開口溝部２４内を流すことができ、開口溝部２４を流れる洗浄用水が一部水溜め部２０に向けて周方向に旋回しながら流れて、ボウル部２内に周方向に流れる旋回流を発生させることができる。したがって、本実施形態の水洗便器１では、ボウル部２の内面を広く洗浄することができる。
【００３０】
以上のように、本実施形態の水洗便器１は、ボウル部２の側方または後方（図では側方の後側）の上部に貫通させて設けたノズル挿入用孔３に、ボウル部２内に洗浄用水を吐出する吐出ノズル４を挿通してなる。ノズル挿入用孔３の前方には、吐出ノズル４から吐出された洗浄用水を誘導してボウル部２内に周方向に流れる旋回流を発生させるための誘導部５を連通させて設けている。この誘導部５は、ボウル部２の内面の上端部と、この内面の上端部に沿わせると共に吐出ノズル４をこのボウル部２の内面の上端部とで挟むように設けた補助誘導壁６とで囲んで形成されている。そして、誘導部５内のうちその前端よりも後方にずれた位置に、吐出ノズル４の前端部を保持するための保持部７を設けている。
【００３１】
このような構成とすることで、本実施形態の水洗便器１では、ノズル挿入用孔３に挿通した吐出ノズル４の前端部を、保持部７によって、誘導部５内のうちその前端よりも後方にずれた位置で保持することができる。これにより、吐出ノズル４の前端部の振動や位置ずれを防止することができ、吐出ノズル４から誘導部５内に洗浄用水を安定して吐出させることができる。よって、誘導部５での洗浄用水の誘導も安定して行うことができるため、ボウル部２の内面を周方向に流れる旋回流をより確実に発生させ、ボウル部２内に洗浄用水を広く行き渡らせることができる。
【００３２】
また、本実施形態の水洗便器１では、吐出ノズル４は、前端側が下方に傾いた状態で保持部７により保持されている。
【００３３】
このように保持部７により吐出ノズル４の前端側を下方に傾かせることによって、本実施形態の水洗便器１では、吐出ノズル４内の洗浄用水を略全て誘導部５内に安定して吐出させることができる。また、吐出ノズル４から新たに洗浄用水を吐出させる際に、残水による異音の発生や、残水の飛び跳ねの発生を防止することもできる。
【００３４】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３５】
１      水洗便器
２      ボウル部
３      ノズル挿入用孔
４      吐出ノズル
５      誘導部
６      補助誘導壁
７      保持部
【図１】
0006041183.tif 000002
【図２】
0006041183.tif 000003